(57)【特許請求の範囲】
【請求項１】
一方の辺同士が互いに対向するように連結して配置されるとともに、前記一方の辺同士が連結された部分に境界部を形成する第１平面表示素子および第２平面表示素子と、
前記境界部を覆うとともに、前記境界部に隣り合うように並んで配置された赤色、緑色、および青色を含む１列の画素を覆うように設けられたレンチキュラーレンズと、を備え、
前記第１平面表示素子および前記第２平面表示素子は、液晶ディスプレイ、フィールドエミッションディスプレイ、プラズマディスプレイ、またはエレクトロルミネセンスディスプレイであり、
前記レンチキュラーレンズは、透明体から構成され、
前記レンチキュラーレンズを構成する前記透明体は、樹脂から形成され、
前記第１平面表示素子および前記第２平面表示素子のうちの前記レンチキュラーレンズによって覆われていない領域には、透明膜が形成され、
前記第１平面表示素子および前記第２平面表示素子の前記一方の辺同士が互いに連結された接合部の真上に、前記レンチキュラーレンズが位置し、
前記接合部の前記真上に、前記レンチキュラーレンズの凸状に形成された部分が位置している、
マルチディスプレイ装置。
【発明の詳細な説明】
【技術分野】
【０００１】
本発明は、マルチディスプレイ装置に関し、特に、複数の平面表示素子を備えるマルチディスプレイ装置に関する。
【背景技術】
【０００２】
平面表示素子は、ブラウン管に置き換わるものとして、液晶ディスプレイ（ＬＣＤ：Liquid  Crystal  Display）、薄膜トランジスタ（ＴＦＴ：Thin  Film  Transistor）−ＬＣＤ、フィールドエミッションディスプレイ（ＦＥＤ：Field  Emission  Display）、プラズマディスプレイパネル（ＰＤＰ：Plasma  Display  Panel）、およびエレクトロルミネセンス（ＥＬ：Electro  Luminescent）ディスプレイなどが知られている。
【０００３】
平面表示素子は、壁掛け用のディスプレイ装置、ノート型パソコン、または携帯情報端末（ＰＤＡ：Personal  Digital  Assistant）などの各種電子機器に採用されている。近年、これらの各種電子機器を構成するモニターのウインドウ画面等の大型化に合わせて、このような平板表示素子も大型化する傾向にある。ここで、大画面からなるモニターのウインドウ画面等を単一の製品から構成する場合、製作費用が高くなる。一方、携帯性などを考慮した小型機器に用いられる平板表示素子としては、使用可能な空間が狭いため大画面の実現が難しい。
【０００４】
特開２００１−００５４１４号公報（特許文献１）には、このような点を考慮して、中間部分を折り畳めるようにし、平面表示素子の大きさを小さくしながらも、大画面およびマルチ駆動ができるようにしたマルチディスプレイ装置が開示されている。特許文献１に開示されるように、マルチディスプレイ装置においては、複数の平面表示素子が連結された状態で用いられる。
【先行技術文献】
【特許文献】
【０００５】
【特許文献１】特開２００１−００５４１４号公報
【発明の概要】
【発明が解決しようとする課題】
【０００６】
マルチディスプレイ装置においては、複数の平面表示素子が連結されていることを、観察者に認識させないようにすることが品質を向上させる上で重要となる。
【０００７】
本発明は、複数の平面表示素子が連結されていることを、観察者により一層認識させないようにするマルチディスプレイ装置を提供することを目的とする。
【課題を解決するための手段】
【０００８】
本発明に基づくマルチディスプレイ装置は、一方の辺同士が互いに対向するように連結して配置されるとともに、上記一方の辺同士が連結された部分に境界部を形成する第１平面表示素子および第２平面表示素子と、上記境界部を覆うとともに、上記境界部に隣り合うように並んで配置された赤色、緑色、および青色を含む１列の画素を覆うように設けられたレンチキュラーレンズと、を備え、上記第１平面表示素子および上記第２平面表示素子は、液晶ディスプレイ、フィールドエミッションディスプレイ、プラズマディスプレイ、またはエレクトロルミネセンスディスプレイであり、上記レンチキュラーレンズは、透明体から構成され、上記レンチキュラーレンズを構成する上記透明体は、樹脂から形成され、上記第１平面表示素子および上記第２平面表示素子のうちの上記レンチキュラーレンズによって覆われていない領域には、透明膜が形成され、上記第１平面表示素子および上記第２平面表示素子の上記一方の辺同士が互いに連結された接合部の真上に、上記レンチキュラーレンズが位置し、上記接合部の上記真上に、上記レンチキュラーレンズの凸状に形成された部分が位置している。
【発明の効果】
【００１４】
本発明によれば、複数の平面表示素子が連結されていることを、観察者により一層認識させないようにするマルチディスプレイ装置を得ることができる。
【図面の簡単な説明】
【００１５】
【図１】実施の形態におけるマルチディスプレイ装置を示す平面図である。
【図２】図１中のＩＩ−ＩＩ線に沿った矢視断面図である。
【図３】実施の形態におけるマルチディスプレイ装置に用いられる１つの平面表示素子を拡大して示す断面図である。
【図４】実施の形態の第１変形例におけるマルチディスプレイ装置を示す断面図である。
【図５】実施の形態の第２変形例におけるマルチディスプレイ装置を示す断面図である。
【発明を実施するための形態】
【００１６】
本発明に基づいた実施の形態におけるマルチディスプレイ装置について、以下、図面を参照しながら説明する。本発明は、複数の平面表示素子が連結されるマルチディスプレイ装置に適用されることができる。以下の実施の形態の説明においては、２つの複数の平面表示素子が連結されるマルチディスプレイ装置に基づき説明する。
【００１７】
以下の実施の形態の説明において、個数、量などに言及する場合、特に記載がある場合を除き、本発明の範囲は必ずしもその個数、量などに限定されない。実施の形態の説明において、同一の部品、相当部品に対しては、同一の参照番号を付し、重複する説明は繰り返さない場合がある。
【００１８】
［実施の形態］
図１〜図３を参照して、本実施の形態におけるマルチディスプレイ装置１００について説明する。図１は、マルチディスプレイ装置１００を示す平面図である。図２は、図１中のＩＩ−ＩＩ線に沿った矢視断面図である。図３は、マルチディスプレイ装置１００に用いられる平面表示素子１０を拡大して示す断面図である。
【００１９】
図１に示すように、マルチディスプレイ装置１００は、平面表示素子１０（第１平面表示素子）、平面表示素子２０（第２平面表示素子）、およびレンチキュラーレンズ３０を備える。平面表示素子１０および平面表示素子２０は、たとえば液晶ディスプレイ（ＬＣＤ：Liquid  Crystal  Display）である。
【００２０】
平面表示素子１０および平面表示素子２０としては、薄膜トランジスタ（ＴＦＴ：Thin  Film  Transistor）−ＬＣＤ、フィールドエミッションディスプレイ（ＦＥＤ：Field  Emission  Display）、プラズマディスプレイパネル（ＰＤＰ：Plasma  Display  Panel）エレクトロルミネセンス（ＥＬ：Electro  Luminescent）ディスプレイ、または、これら以外の平板ディスプレイが用いられてもよい。
【００２１】
図２を参照して、平面表示素子１０においては、一対の基板１２および基板１７が対向配置されている。基板１２および基板１７の内面側には、透明電極１３および透明電極１６と、絶縁層（図示せず）および配向層（図示せず）とが積層形成されている。シーラント１４によってシーリングされた内部空間には、液晶物質１５が注入密封されている。側壁１８および基板１２の表面には、保護フィルム１１が付着されている。
【００２２】
同様に、平面表示素子２０においては、一対の基板２２および基板２７が対向配置されている。基板２２および基板２７の内面側には、透明電極２３および透明電極２６と、絶縁層（図示せず）および配向層（図示せず）とが積層形成されている。シーラント２４によってシーリングされた内部空間には、液晶物質２５が注入密封されている。側壁２８および基板２２の表面には、保護フィルム２１が付着されている。
【００２３】
平面表示素子１０の一辺１０Ｔおよび平面表示素子２０の一辺２０Ｔ同士は、互いに対向するように連結して配置される。平面表示素子１０の一辺１０Ｔおよび平面表示素子２０の一辺２０Ｔ同士は、図示しない連結手段によって連結されている。平面表示素子１０および平面表示素子２０は、互いに対して回動式または開閉収納式に構成されてもよい。
【００２４】
平面表示素子１０の一辺１０Ｔおよび平面表示素子２０の一辺２０Ｔ同士が連結された部分には、連結部４０が形成されている。連結部４０は、液晶による映像表示に寄与しない部分である。連結部４０の幅は、たとえば６ｍｍ〜１０ｍｍである。
【００２５】
図３を参照して、レンチキュラーレンズ３０は、連結部４０を覆うとともに、連結部４０に隣り合うように並んで配置された赤色（Ｒ）、緑色（Ｇ）、および青色（Ｂ）を含む１列の画素（１６ａ〜１６ｃ）を覆うように設けられている。レンチキュラーレンズ３０は、平面表示素子１０，２０の配列方向（図２紙面垂直方向）に対して平行な方向に配設されている。
【００２６】
換言すると、レンチキュラーレンズ３０は、連結部４０を覆うとともに、連結部４０に隣り合うように並んで配置された赤色（Ｒ）（画素１６ａ）、緑色（Ｇ）（画素１６ｂ）、および青色（Ｂ）（画素１６ｃ）を含む領域Ｒ１の表面に配置される。画素１６ａ〜１６ｃは、上下の透明電極１３および透明電極１６が交差する部分であり、画像を構成する最小の単位である。
【００２７】
レンチキュラーレンズ３０によって覆われる領域は、連結部４０と、赤色（Ｒ）、緑色（Ｇ）、および青色（Ｂ）を有する１列の画素１６ａ〜１６ｃとを含む。ここで、レンチキュラーレンズ３０の倍率を１．３５とすると、レンチキュラーレンズ３０によって覆われていない領域Ｒ２の画素１６ｄ〜１６ｆを構成する透明電極１６の幅が０．３ｍｍであり、画素間の空間幅が０．０３ｍｍであれば、レンチキュラーレンズ３０を通して見える領域の画面の長さＬ１は、次の式によって得られることができる。
Ｌ１＝Ｌ２／１．３５＝｛（０．３×３）＋（０．０３×３）｝／１．３５＝０．７３３
この式から、レンチキュラーレンズ３０によって覆われる領域の長さＬ１は、レンチキュラーレンズ３０によって覆われない領域Ｒ２の長さＬ２に対して２６％程度小さく形成されることがわかる。レンチキュラーレンズ３０の倍率と長さＬ１とは互いに反比例し、その内部に含まれる画素１６ａ〜１６ｃの数によって変化する。
【００２８】
以上のように配置されたレンチキュラーレンズ３０は、平面表示素子１０，２０による画像を表示するとき、レンズ倍率と屈折率とによって、視覚的に連結部４０を最小化することができる。このとき、縮小された領域Ｒ１の画素１６ａ〜１６ｃは、レンチキュラーレンズ３０の倍率によって他の領域Ｒ２の画素１６ｄ〜１６ｆと同じ大きさに拡大されて表示される。このため、マルチディスプレイ装置１００としては、画面全体としての品質を向上させることが可能となる。
【００２９】
レンチキュラーレンズ３０は、平面表示素子１０，２０の画面に出射される表示光の経路を、連結部４０の中心の方へ傾くように誘導した上で出射させる。レンチキュラーレンズ３０は、画面に出射される表示光を最適な倍率で拡大するように構成されるとよい。レンチキュラーレンズ３０によるこれらの配向および拡大によって、観察者がマルチディスプレイ装置１００を見る際は、連結部４０（液晶による映像表示に寄与しない部分）がほとんど目立たなくなる。連結部４０が視覚的に補償され、連結部４０は外部に表示されなくなる。マルチディスプレイ装置１００によれば、平面表示素子１０，２０が連結されていることを観察者にほとんど認識させないようにすることができ、平面表示素子１０および平面表示素子２０は一つのディスプレイのように認識されることが可能となる。
【００３０】
本実施の形態におけるマルチディスプレイ装置１００に用いられるレンチキュラーレンズ３０は、たとえば樹脂から形成される。レンチキュラーレンズ３０を形成する樹脂としては、たとえばアクリル樹脂またはポリカーボネート樹脂などの透明樹脂が用いられるとよい。
【００３１】
レンチキュラーレンズ３０を製造するためには、外型枠、および、レンチキュラーレンズ３０のレンズ形状に対応する形状を有する金型が準備される。金型を外型枠に固定した状態で、金型内にレンチキュラーレンズ３０を形成するための液体状の樹脂素材を注入および充填する。レンチキュラーレンズ３０を形成するための液体状の樹脂素材が硬化することによって、レンチキュラーレンズ３０が金型内で形成される。金型を取り外すことによって、レンチキュラーレンズ３０を得ることができる。
【００３２】
レンチキュラーレンズ３０の製造方法としては、ＵＶ硬化型のインクなどを用いてレンズを瞬時に成形固化してもよい（換言すると、連結部４０の上方にレンズ状に印字した後にＵＶを照射して硬化させてもよい）。この場合、レンチキュラーレンズ３０は低分子量高分子もわずかに成分として含んでいるが、ＰＥＴまたはポリカーボネートのような汎用性の高い樹脂から構成されてもよい。
【００３３】
なお、レンチキュラーレンズ３０を構成する部材は透明体であることが好ましいが、レンチキュラーレンズ３０は、僅かに着色された薄いカラー着色レンズから構成されてもよい。
【００３４】
［実施の形態の第１変形例］
図４は、実施の形態の第１変形例におけるマルチディスプレイ装置１０１を示す断面図である。
【００３５】
マルチディスプレイ装置１０１のように、レンチキュラーレンズ３０が配設されていない部分には、透明膜１９，２９が形成されてもよい。透明膜１９，２９の形成によって、レンチキュラーレンズ３０が配設された部分とレンチキュラーレンズ３０が配設されていない部分との視覚的な差がより一層目立たなくなる。
【００３６】
透明膜１９，２９としては、レンチキュラーレンズ３０と同一の材質を用いることができる。透明膜１９，２９としては、一つの材料から製造して平らに形成することが好ましいが、段差を無くすことができるものであれば、他の材料から形成されてもよい。
【００３７】
［実施の形態の第２変形例］
図５は、実施の形態の第２変形例におけるマルチディスプレイ装置１０２を示す断面図である。
【００３８】
マルチディスプレイ装置１０２のように、平面表示素子１０の一辺１０Ｔおよび平面表示素子２０の一辺２０Ｔ同士が連結される部分（接合部）のちょうど真上に、レンチキュラーレンズ３０Ａの一つが配置されるとよい。この場合、レンチキュラーレンズ３０Ａの一つのちょうど凸状に形成された部分が、この接合部の真上に位置しているとよい。
【００３９】
当該構成によれば、平面表示素子１０，２０が連結されていることを、より一層観察者に認識させないようにすることができる。
【００４０】
以上、本発明に基づいた実施の形態について説明したが、今回開示された実施の形態はすべての点で例示であって制限的なものではない。本発明の技術的範囲は特許請求の範囲によって示され、特許請求の範囲と均等の意味および範囲内でのすべての変更が含まれることが意図される。
【符号の説明】
【００４１】
１０，２０  平面表示素子、１０Ｔ，２０Ｔ  一辺、１１，２１  保護フィルム、１２，１７，２２，２７  基板、１３，１６，２３，２６  透明電極、１４，２４  シーラント、１５，２５  液晶物質、１６ａ〜１６ｃ，１６ｄ〜１６ｆ  画素、１８，２８  側壁、１９，２９  透明膜、３０，３０Ａ  レンチキュラーレンズ、４０  連結部、１００，１０１，１０２  マルチディスプレイ装置、Ｌ１，Ｌ２  長さ、Ｒ１，Ｒ２  領域。
【図１】
0005502018.tif 000002
【図２】
0005502018.tif 000003
【図３】
0005502018.tif 000004
【図４】
0005502018.tif 000005
【図５】
0005502018.tif 000006